(57)【要約】      （修正有）【課題】時間が経過しても矯正力が弱くなり難く、靴を履いた際や歩行時等にユーザが違和感を感じたり、また靴擦れが発生する恐れも少なく、薄手のストッキング等の下に履いても目立ち難くする外反母趾用サポーターを提供する。【解決手段】少なくとも足２の甲の前側と足裏の前側とをカバーする筒状で伸縮性を有するメッシュ生地１ａからなるサポーター本体１１と、そのサポーター本体１１の親指（母趾）２１側から延び、足２の親指（母趾）２１先端に引っ掛る筒状でサポーター本体１１のメッシュ生地１ａと同じメッシュ生地１ａからなる親指引っ掛け部１２とが一体で形成され、サポーター本体１１および親指引っ掛け部１２の裏側の周縁部には、伸縮性を有しメッシュ生地１ａよりも目が細かい周縁補強弾性材１ｂが熱溶着されている。【選択図】図１
0003210702.tif 000002
【実用新案登録請求の範囲】
【請求項１】
足の親指の外反母趾を矯正するための反母趾用サポーターであって、
少なくとも足の甲の前側と足裏の前側を足の幅方向にカバーする筒状で伸縮性を有するメッシュ生地からなるサポーター本体と、そのサポーター本体の親前側から延び、足の親指先端に引っ掛る筒状で前記サポーター本体のメッシュ生地と同じメッシュ生地からなる親指引っ掛け部とが一体で形成され、
前記サポーター本体および前記親指引っ掛け部の裏側の周縁部には、伸縮性を有し前記メッシュ生地よりも伸びが小さい周縁補強弾性材が熱溶着されていることを特徴とする外反母趾用サポーター。
【請求項２】
請求項１に記載の外反母趾用サポーターにおいて、
前記サポーター本体および前記親指引っ掛け部は、外形が前記サポーター本体および前記親指カバー部を足の内側面側で分断して展開した形状の輪郭で、かつ、それらの内側がくり抜かれた形状の前記周縁補強弾性材が熱溶着されたメッシュ生地を前記輪郭でカッティングされたカッティング素材の左右両側の外側端部同士を突き合わせ、突き合せた前記外側端部同士をそれらの前記周縁補強弾性材の上から長尺端部接着用熱溶着テープで熱溶着して無縫製で接合されていると共に、前記カッティング素材における前記親指引っ掛け部の左右両側の内側端部同士を突き合わせ、突き合せた前記内側端部同士をそれらの前記周縁補強弾性材の上から短尺端部接着用熱溶着テープで熱溶着して無縫製で接合されていることを特徴とする外反母趾用サポーター。
【請求項３】
請求項２に記載の外反母趾用サポーターにおいて、
前記周縁補強弾性材と前記長尺端部接着用熱溶着テープと前記短尺端部接着用熱溶着テープは、同一素材のポリウレタンゴムであることを特徴とする外反母趾用サポーター。
【請求項４】
請求項１〜請求項３のいずれか一の請求項に記載の外反母趾用サポーターにおいて、
前記サポーター本体および前記親指引っ掛け部における足の内側面側の前記周縁補強弾性材は、前記親指引っ掛け部の先端から前記サポーター本体の後端に向かうに従って徐々に幅広になるように形成されていることを特徴とする外反母趾用サポーター。
【考案の詳細な説明】
【技術分野】
【０００１】
本考案は、足の親指の外反母趾を矯正するための外反母趾用サポーターに関する。
【背景技術】
【０００２】
従来より、外反母趾用サポーターとして、例えば、足指の第１中足指関節部全体を覆い足底及び足甲の周囲に装着される関節部装着部と、母趾の周囲に装着される母趾装着部と、該母趾装着部の第２趾側と前記関節部装着部の第１趾側を斜めにつないで装着され、両者の間に引張力を作用させる連結ベルトからなる外反母趾矯正用サポーターが提案され、特許になっている（例えば、特許文献１参照。）。
【先行技術文献】
【特許文献】
【０００３】
【特許文献１】特許第３７４８９９６号公報
【考案の概要】
【考案が解決しようとする課題】
【０００４】
しかし、前記特許文献１に記載の外反母趾用サポーターでは、連結ベルトの先端部や関節部装着ベルトの一方側端部に面ファスナーが設けられており、ユーザ自身が自分の足の回りに連結ベルトおよび関節部装着ベルトを巻き付けてそれぞれの面ファスナーによって接着して装着するため、時間の経過に従って面ファスナーがずれて外反母趾用サポーターの矯正力が弱くなるという問題があった。
【０００５】
また、足の回りに連結ベルトおよび関節部装着ベルトを巻き付けて装着する構成であるため、ベルトや面ファスナーが重なっている部分では、靴を履いた際や歩行時等にユーザが違和感を感じたり、また、靴擦れが発生するという問題もある。
【０００６】
特に、外反母趾はハイヒール等の先の尖った靴を履く女性の足に発生し易いが、足の回りに連結ベルトおよび関節部装着ベルトを巻き付けて装着する特許文献１の外反母趾用サポーターの場合、薄手のストッキング等の下に履いたとしても、目立ち易いという問題もある。
【０００７】
そこで、本考案はこのような問題点に鑑みなされたもので、時間が経過しても外反母趾用サポーターの矯正力が弱くなり難く、靴を履いた際や歩行時等にユーザが違和感を感じたり、また靴擦れが発生する恐れも少なく、薄手のストッキング等の下に履いても目立ち難い外反母趾用サポーターを提供することを目的とする。
【課題を解決するための手段】
【０００８】
前記課題を解決するため、本考案に係る外反母趾用サポーターでは、足の親指の外反母趾を矯正するための反母趾用サポーターであって、少なくとも足の甲の前側と足裏の前側を足の幅方向にカバーする筒状で伸縮性を有するメッシュ生地からなるサポーター本体と、そのサポーター本体の親前側から延び、足の親指先端に引っ掛る筒状で前記サポーター本体のメッシュ生地と同じメッシュ生地からなる親指引っ掛け部とが一体で形成され、前記サポーター本体および前記親指引っ掛け部の裏側の周縁部には、伸縮性を有し前記メッシュ生地よりも伸びが小さい周縁補強弾性材が熱溶着されていることを第１の特徴とする。
また、本考案に係る外反母趾用サポーターでは、前記サポーター本体および前記親指引っ掛け部は、外形が前記サポーター本体および前記親指カバー部を足の内側面側で分断して展開した形状の輪郭で、かつ、それらの内側がくり抜かれた形状の前記周縁補強弾性材が熱溶着されたメッシュ生地を前記輪郭でカッティングされたカッティング素材の左右両側の外側端部同士を突き合わせ、突き合せた前記外側端部同士をそれらの前記周縁補強弾性材の上から長尺端部接着用熱溶着テープで熱溶着して無縫製で接合されていると共に、前記カッティング素材における前記親指引っ掛け部の左右両側の内側端部同士を突き合わせ、突き合せた前記内側端部同士をそれらの前記周縁補強弾性材の上から短尺端部接着用熱溶着テープで熱溶着して無縫製で接合されていることを第２の特徴とする。
また、本考案に係る外反母趾用サポーターでは、前記周縁補強弾性材と前記長尺端部接着用熱溶着テープと前記短尺端部接着用熱溶着テープは、同一素材のポリウレタンゴムであることを第３の特徴とする。
また、本考案に係る外反母趾用サポーターは、前記サポーター本体および前記親指引っ掛け部における足の内側面側の前記周縁補強弾性材は、前記親指引っ掛け部の先端から前記サポーター本体の後端に向かうに従って徐々に幅広になるように形成されていることを第４の特徴とする。
【考案の効果】
【０００９】
本考案に係る外反母趾用サポーターによれば、少なくとも足の甲の前側と足裏の前側を足の幅方向にカバーする筒状で伸縮性を有するメッシュ生地からなるサポーター本体と、そのサポーター本体の親前側から延び、足の親指先端に引っ掛る筒状でサポーター本体のメッシュ生地と同じメッシュ生地からなる親指引っ掛け部とを備え、サポーター本体および親指引っ掛け部の裏側の周縁部には、伸縮性を有しメッシュ生地よりも伸びが小さい周縁補強弾性材が熱溶着されている。
そのため、本考案に係る外反母趾用サポーターによれば、ベルト止めする必要がなくなるので、時間が経過しても外反母趾用サポーターの矯正力が弱くなり難く、靴を履いた際や歩行時等にユーザが違和感を感じたり、また靴擦れが発生する恐れも少なく、薄手のストッキング等の下に履いても目立ち難くすることができる。
【図面の簡単な説明】
【００１０】
【図１】本考案に係る実施形態の外反母趾用サポーターを足に装着した状態を示す図である。
【図２】本考案に係る実施形態の外反母趾用サポーターの平面図である。
【図３】本考案に係る実施形態の外反母趾用サポーターの左側面図である。
【図４】本考案に係る実施形態の外反母趾用サポーターの右側面図である。
【図５】図３におけるＡ−Ａ線端面図である。
【図６】本考案に係る実施形態の外反母趾用サポーターを裏返した状態の平面図である。
【図７】本考案に係る実施形態の外反母趾用サポーターを裏返した状態の左側面図である。
【図８】本考案に係る実施形態の外反母趾用サポーターを裏返した状態の右側面図である。
【図９】（ａ），（ｂ）それぞれ本考案に係る実施形態の外反母趾用サポーターの端部を端部接着用熱溶着テープで接着する前の状態を示す平面図、背面図である。
【考案を実施するための形態】
【００１１】
以下、本考案に係る実施形態の外反母趾用サポーターについて、図面を参照しながら詳細に説明する。なお、下記に説明する実施形態はあくまで本考案の一例であり、本考案は下記の実施形態に限定されるものではなく、本考案の技術思想の範囲内で適宜変更可能である。
【００１２】
本考案に係る外反母趾用サポーター１は、図１〜図８に示すように、足２の親指（母趾）２１の外反母趾を矯正すると共に、足裏に正常な横方向アーチを形成して正しい歩行が出来るようにサポートするための矯正サポーターであって、少なくとも足２の甲の前側と、足裏の前側、すなわち足裏の小指球や指尖球、母指球等の足２の中足関節を足２の幅方向にカバーする筒状で伸縮性を有する軟質パワーネットメッシュ等のメッシュ生地１ａからなるサポーター本体１１と、そのサポーター本体１１の親指（母趾）２１側から延び、親指（母趾）２１先端に引っ掛ける筒状でサポーター本体１１のメッシュ生地１ａと同じメッシュ生地１ａからなる親指引っ掛け部１２とが一体で形成されて構成されている。
【００１３】
ここで、メッシュ生地１ａの色としては、例えば、肌色のものを使用する。これにより、ユーザが足２に外反母趾用サポーター１を装着しても、本実施形態の外反母趾用サポーター１を極力、目立たなくすることができる。特に、肌色のストッキングの下に同じ肌色の本実施形態の外反母趾用サポーター１を使用する場合、さらに本実施形態の外反母趾用サポーター１を目立たなくすることができる。
【００１４】
また、サポーター本体１１および親指引っ掛け部１２の裏側の周縁部には、伸縮性を有し、かつ、メッシュ生地１ａよりも伸びが小さい、つまり伸び難いポリウレタンゴム等からなる周縁補強弾性材１ｂが熱溶着（ホットメルト）して設けられている。
【００１５】
そのため、本実施形態の外反母趾用サポーター１によれば、サポーター本体１１および親指引っ掛け部１２の裏側周縁部がポリウレタンゴム等からなる周縁補強弾性材１ｂで補強されるので、周縁補強弾性材１ｂのサポーター本体１１および親指引っ掛け部１２の表側に設ける場合よりも、外反母趾用サポーター１を目立ち難くすることができる。
【００１６】
ここで、ポリウレタンゴム等からなる周縁補強弾性材１ｂも、サポーター本体１１および親指引っ掛け部１２を構成するメッシュ素材１ａと同様に肌色の同じ色で構成している。そのため、この点でも外反母趾用サポーター１を装着していることを目立ち難くすることができる。
【００１７】
また、サポーター本体１１および親指引っ掛け部１２は、図９（ａ），（ｂ）に示すように、外形がサポーター本体１１および親指引っ掛け部１２を足２の内側面側で分断して展開した形状の輪郭１ｅで、かつ、それらの内側が足２のアーチ形状を考慮してくり抜かれた形状の周縁補強弾性材１ｂを熱溶着したメッシュ生地をその輪郭１ｅでカッティングしたカッティング素材１’の左右両側の外側端部１ｆ，１ｆ同士を突き合わせ、図５に示すように突き合せた外側端部１ｆ，１ｆ同士の周縁補強弾性材１ｂ，１ｂの上から長尺端部接着用熱溶着テープ１ｃで熱溶着（ホットメルト）して無縫製で接合している。
【００１８】
また、図５に示すようにカッティング素材１’における親指引っ掛け部１２の左右両側の内側端部１ｇ，１ｇ同士も突き合わせ、突き合せた内側端部１ｇ，１ｇ同士の周縁補強弾性材１ｂの上から短尺端部接着用熱溶着テープ１ｄで熱溶着（ホットメルト）して無縫製で接合されている。
【００１９】
そのため、本考案に係る実施形態の外反母趾用サポーター１では、サポーター本体１１および親指引っ掛け部１２の筒状に形成する際、カッティング素材１’の左右両側の外側端部１ｆ，１ｆ同士や親指引っ掛け部１２の左右両側の内側端部１ｇ，１ｇ同士を突き合わせ、長尺端部接着用熱溶着テープ１ｃや短尺端部接着用熱溶着テープ１ｄで熱溶着（ホットメルト）により無縫製で接合するため、接合部分に縫い目が無くなり、靴を履いた際や歩行時等にユーザが違和感を感じたり、また靴擦れが発生する恐れを少なくすることできると共に、ストッキングの下に履いても目立ち難くすることができる。
【００２０】
また、本考案に係る実施形態の外反母趾用サポーター１では、カッティング素材１’の左右両側の外側端部１ｆ，１ｆ同士や親指引っ掛け部１２の左右両側の内側端部１ｇ，１ｇ同士を突き合わせ、周縁補強弾性材１ｂ，１ｂの上から長尺端部接着用熱溶着テープ１ｃや短尺端部接着用熱溶着テープ１ｄで熱溶着（ホットメルト）によって溶融固化しているため、足２の内側面側には長尺端部接着用熱溶着テープ１ｃが来る一方、親指２１の外側には短尺端部接着用熱溶着テープ１ｄが来ることになるので、内側に曲がっている外反母趾状態にある足２の親指２１を確実に外側に広げる（開かせる）ことが出来る。
【００２１】
特に、本考案に係る実施形態の外反母趾用サポーター１では、親指２１が挿入される親指引っ掛け部１２では、左右両側に長尺端部接着用熱溶着テープ１ｃおよび短尺端部接着用熱溶着テープ１ｄによってダブルテーピングラインが形成される一方、その間では中央部分から指先にかけてメッシュ生地１ａの１枚部分とメッシュ生地１ａおよび周縁補強弾性材１ｂの２枚部分が形成されるので、外反母趾を確実に強制できると共に、親指２１でしっかり踏み込むことが可能となり、正しい歩行を導くこともできる。
【００２２】
また、本考案に係る実施形態の外反母趾用サポーター１では、端部の接合に使用する長尺端部接着用熱溶着テープ１ｃおよび短尺端部接着用熱溶着テープ１ｄも、周縁補強弾性材１ｂと同一素材のポリウレタンゴムを使用し、かつ、軟質パワーネットメッシュ等のメッシュ生地１ａと同様に肌色のものを使用しているため、この点でも、外反母趾用サポーター１を履いても目立ち難くすることができる。
【００２３】
また、本考案に係る実施形態の外反母趾用サポーター１では、図９（ａ），（ｂ）に示すように、メッシュ生地１ａに熱溶着する周縁補強弾性材１ｂは、サポーター本体１１および親指引っ掛け部１２の周縁部にのみ存在し、それらの内側は足２のアーチ形状を考慮してくり抜かれているため、必要最低限の周縁補強弾性材１ｂで確実に足２に装着して外反母趾用サポーター１の矯正力が弱まることを防止できると共に、足２の甲側および裏側全体に周縁補強弾性材１ｂが覆われてないことから、長時間装着しても足２の蒸れを軽減することができる。特に、図１等に示すように、親指引っ掛け部１２においても周縁部にのみ周縁補強弾性材１ｂが存在し、中央部には周縁補強弾性材１ｂが存在しないため、親指２１の蒸れも軽減することができる。
【００２４】
また、サポーター本体１１および親指引っ掛け部１２における足２の内側面側の周縁補強弾性材１ｂは、図６や図７等に示すように親指引っ掛け部１２の先端からサポーター本体１１の後端に向かうに従って徐々に幅広になるように形成されている。つまり、サポーター本体１１および親指引っ掛け部１２における足２の内側面側の周縁補強弾性材１ｂは、図７に示すように親指引っ掛け部１２の先端部近傍での幅Ｌ１に対し、サポーター本体１１の後端部近傍での幅Ｌ２の方が大きく、徐々に幅広になるように形成されている。
【００２５】
そのため、本考案に係る実施形態の外反母趾用サポーター１では、サポーター本体１１の後端部近傍での足２への密着力が向上するので、足２に装着した際、サポーター本体１１が足２からずれ難くなり、従来技術のようにベルト止めしなくても、時間の経過によって外反母趾用サポーター１の矯正力が弱くなることを確実に防止することができる。
【符号の説明】
【００２６】
１  外反母趾用サポーター
１１  サポーター本体
１ａ  メッシュ生地
１ｂ  周縁補強弾性材
１ｃ  長尺端部接着用熱溶着テープ
１ｄ  短尺端部接着用熱溶着テープ
１２  親指引っ掛け部
【図１】
0003210702.tif 000003
【図２】
0003210702.tif 000004
【図３】
0003210702.tif 000005
【図４】
0003210702.tif 000006
【図５】
0003210702.tif 000007
【図６】
0003210702.tif 000008
【図７】
0003210702.tif 000009
【図８】
0003210702.tif 000010
【図９】
0003210702.tif 000011